(57)【要約】【課題】上方に位置する第一の食器かごと、その下方に位置する第二の食器かごに被洗浄物を容易にセットすることができる、使用勝手の良い食器洗い機を提供する。【解決手段】上方に開口し食器洗い機本体（図示せず）から前方に引出し可能で、上部洗浄槽１３および下部洗浄槽１４からなる洗浄槽２４を備え、上部洗浄槽１３および下部洗浄槽１４はそれぞれ被洗浄物８を収納する第一の食器かご１５ａ、１５ｂおよび第二の食器かご１６を有し、上部洗浄槽１３は上方から見て、その略全面を下部洗浄槽１４の外側に移動可能としたもので、第一の食器かご１５ａ、１５ｂに被洗浄物８がセットされた状態でも、その上部洗浄槽１３全体を移動することによって、第一の食器かご１５ａ、１５ｂで塞がれた下部洗浄槽１４内の第二の食器かご１６のスペースを空ける事ができ、上方から、第二の食器かご１６から被洗浄物８を容易にとったり、セットすることができる。【選択図】図２
2009261447.tif 000002
【特許請求の範囲】
【請求項１】
上方に開口し食器洗い機本体から前方に引出し可能な洗浄槽を備え、前記洗浄槽は、上部洗浄槽および下部洗浄槽からなり、前記上部洗浄槽および下部洗浄槽はそれぞれ内部に被洗浄物を収納する第一および第二の食器かごを有し、前記上部洗浄槽は上方から見て、その略全面を前記下部洗浄槽の外側に移動可能とした食器洗い機。
【請求項２】
上部洗浄槽は、引出し方向に対して、右側面側に移動可能とした第一の上部洗浄槽と、左側面側に移動可能とした第二の上部洗浄槽よりなる請求項１に記載の食器洗い機。
【請求項３】
上部洗浄槽の移動と連動するとともに、第一の食器かご又はそれに収納された被洗浄物から落下する水を下部洗浄槽内に導く水受け部を設けた請求項１または２に記載の食器洗い機。
【請求項４】
水受け部の一端は、上部洗浄槽が第一の食器かごを保持している部分に固定され、前記水受け部は、前記上部洗浄槽が移動していない初期状態では、前記上部洗浄槽および下部洗浄槽の側壁内面に位置すると共に、前記水受け部の面積を、上方から平面視して、前記上部洗浄槽より小さく、前記第一の食器かごより大きく設定した請求項３に記載の食器洗い機。
【発明の詳細な説明】
【技術分野】
【０００１】
本発明は、食器等の被洗浄物に洗浄水を噴射して洗浄する食器洗い機に関するものである。
【背景技術】
【０００２】
従来の、一般的な食器洗い機は、図８に示すように構成されていた（例えば、特許文献１参照）。
【０００３】
以下、従来の食器洗い機の構成について説明する。図８は、従来の食器洗い機の縦断面図である。
【０００４】
図８において、食器洗い機本体１は、内部に洗浄槽２を設けており、洗浄槽２は上方に開放しており、上方から食器などの被洗浄物８の出し入れが可能となっている。また、洗浄槽２内へは、給水弁３により外部から水または湯を供給するようにしている。ここで、その洗浄水の供給は、水位センサ（図示せず）を利用して適切な水位に設定し、給水弁３からの給水を自動的に止める。洗浄槽２の底部には、排水孔４を設け、この排水孔４に連通し、モータ（図示せず）によって駆動される洗浄ポンプ５を取り付け、この洗浄ポンプ５により洗浄水を洗浄ノズル７から噴射させて、洗浄槽２の内部に循環するよう構成している。また、排水孔４には残さいを捕集する残さいフィルタ６を具備している。
【０００５】
また、洗浄ノズル７と洗浄槽２の底部との間には、洗浄水加熱用のヒータ９を装備し、洗浄ノズル７の上方には、被洗浄物８を整然と配置でき、洗浄水が効果的に被洗浄物８に噴射されるように構成した上食器かご１０と下食器かご１１の上下二段からなる食器かごを設置して効率的に洗浄を行えるようにしている。制御手段１２は、給水弁３や洗浄ポンプ５等の電装部品を駆動、制御するものである。
【０００６】
以上のように構成された従来の食器洗い機の動作を説明する。
【０００７】
洗浄槽２内に供給された洗浄水は、残さいフィルタ６を通過して洗浄ポンプ５に吸い込まれ、洗浄ポンプ５より洗浄槽２の内底部に設けた洗浄ノズル７に供給される。洗浄ノズル７から噴射された洗浄水は、被洗浄物８を洗浄した後、再び排水孔４に戻るという経路で循環する。この間、被洗浄物８から脱落した残さい等は、洗浄水とともに残さいフィルタ６に流入し、この残さいフィルタ６を通過できない大きさの残さいは残さいフィルタ６に捕集される。
【特許文献１】特開２００２−１７６４３号公報
【発明の開示】
【発明が解決しようとする課題】
【０００８】
しかしながら、このような従来の食器洗い機の構成では、洗浄槽２の上方から被洗浄物８をセットすることになるため、上食器かご１０に被洗浄物８をセットした後に、その真下にあたる位置に被洗浄物８をセットしようとすると、一度上食器かご１０に置いた被洗浄物８を一旦片付けるか、下食器かご１１をセットし終わるまで、上食器かご１０に被洗浄物８をセットできなくなる。また、食事毎や食事の間で飲んだコップ類などの被洗浄物８が発生した場合、一度上食器かご１０に置くので非常に不便であり、被洗浄物８のセットがしづらいという不具合が発生する。
【０００９】
本発明は、上記従来の課題を解決するもので、上方に位置する第一の食器かごと、その
下方に位置する第二の食器かごに被洗浄物を容易にセットすることができる、使用勝手の良い食器洗い機を提供することを目的としている。
【課題を解決するための手段】
【００１０】
上記従来の課題を解決するために、本発明の食器洗い機は、上方に開口し食器洗い機本体から前方に引出し可能な洗浄槽を備え、前記洗浄槽は、上部洗浄槽および下部洗浄槽からなり、前記上部洗浄槽および下部洗浄槽はそれぞれ内部に被洗浄物を収納する第一および第二の食器かごを有し、前記上部洗浄槽は上方から見て、その略全面を前記下部洗浄槽の外側に移動可能としたもので、上部洗浄槽内の第一の食器かごに被洗浄物がセットされた状態でも、その上部洗浄槽全体を移動することによって、上部洗浄槽内の第一の食器かごで塞がれた下部洗浄槽内の第二の食器かごのスペースを空ける事ができ、上方から下部洗浄槽内の第二の食器かごから被洗浄物を容易に取ったり、セットすることができ、食器洗い機の使い勝手を大幅に向上させることができる。
【発明の効果】
【００１１】
本発明の食器洗い機は、上部洗浄槽内の第一の食器かごに被洗浄物をセットしたまま、上部洗浄槽を簡単に移動して、上部洗浄槽内の第一の食器かごの下側にある下部洗浄槽内の第二の食器かごへの被洗浄物のセットを楽に行うことができる。また、上部洗浄槽の略全面を下部洗浄槽内の第二食器かごの外側に出すことができるので、上部洗浄槽と下部洗浄槽の両方の第一および第二の食器かごに対して、どちらへでも、あるいは同時にでも被洗浄物を容易にセットでき、食器洗い機の使い勝手を大幅に向上させることができる。
【発明を実施するための最良の形態】
【００１２】
第１の発明は、上方に開口し食器洗い機本体から前方に引出し可能な洗浄槽を備え、前記洗浄槽は、上部洗浄槽および下部洗浄槽からなり、前記上部洗浄槽および下部洗浄槽はそれぞれ内部に被洗浄物を収納する第一および第二の食器かごを有し、前記上部洗浄槽は上方から見て、その略全面を前記下部洗浄槽の外側に移動可能としたもので、上部洗浄槽内の第一の食器かごに被洗浄物がセットされた状態でも、その上部洗浄槽全体を移動することによって、上部洗浄槽内の第一の食器かごで塞がれた下部洗浄槽内の第二の食器かごのスペースを空ける事ができ、上方から下部洗浄槽内の第二の食器かごから被洗浄物を容易にとったり、セットすることができ、食器洗い機の使い勝手を大幅に向上させることができる。
【００１３】
第２の発明は、特に、第１の発明の上部洗浄槽は、引出し方向に対して、右側面側に移動可能とした第一の上部洗浄槽と、左側面側に移動可能とした第二の上部洗浄槽よりなるもので、洗浄槽を引き出した後、洗浄槽の左右どちら側に立って操作しても、移動した上部洗浄槽が邪魔にならずに、被洗浄物のセットを容易に行うことができるため、食器洗い機の使い勝手を大幅に向上させることができる。
【００１４】
第３の発明は、特に、第１または第２の発明の上部洗浄槽の移動と連動するとともに、第一の食器かご又はそれに収納された被洗浄物から落下する水を下部洗浄槽内に導く水受け部を設けたもので、上部洗浄槽を外方に移動させても、水受け部により、第一の食器かご又は被洗浄物から落下する水を、下部洗浄槽内に戻して、床が汚れるのを防止できるので食器洗い機のお手入れ性を大幅に向上させることができる。
【００１５】
第４の発明は、特に、第３の発明の水受け部の一端は、上部洗浄槽が第一の食器かごを保持している部分に固定され、前記水受け部は、前記上部洗浄槽が移動していない初期状態では、前記上部洗浄槽および下部洗浄槽の側壁内面に位置すると共に、前記水受け部の面積を、上方から平面視して、前記上部洗浄槽より小さく、前記第一の食器かごより大きく設定したもので、上部洗浄槽が移動していない初期状態では、水受け部が、上部、下部
洗浄槽の側壁内面に位置しているので、洗浄時の洗浄ノズルの動作および、被洗浄物への洗浄水の軌道の邪魔にならず、安定した洗浄性能を確保することができる。さらに、上部洗浄槽が移動中および移動後の状態において、水受け部の面積が上方から平面視して、第一の食器かごより大きいので、第一の食器かご上の被洗浄物からの水滴および汁だれをすべて受け取ることが可能となり、床が汚れるのを完全に防止することができるので、食器洗い機のお手入れ性を大幅に向上させることができる。
【００１６】
以下、本発明の実施の形態について、図面を参照しながら説明する。なお、この実施の形態によって本発明が限定されるものではない。
【００１７】
（実施の形態１）
図１は、本発明の実施の形態１における食器洗い機の洗浄槽を食器洗い機本体から引き出した状態を示す縦断面図、図２は、同食器洗い機の洗浄槽の側面図（上部洗浄槽の移動初期の状態）、図３は、同洗浄槽の平面図（上部洗浄槽の移動初期の状態）、図４は、同洗浄槽の側面図（上部洗浄槽の移動終了時の状態）、図５は、同洗浄槽の平面図（上部洗浄槽の移動終了時の状態）である。なお、上記従来の食器洗い機と同じ部品については、同一符号を付して説明を省略する。
【００１８】
図１〜５において、本実施の形態における食器洗い機の洗浄槽２４は、下方に位置する下部洗浄槽１４と、その上方に配される上部洗浄槽１３から構成され、更に上部洗浄槽１３は、第一の上部洗浄槽１３ａと、第二の上部洗浄槽１３ｂから構成され、第一の上部洗浄槽１３ａ、第二の上部洗浄槽１３ｂ、下部洗浄槽１４は、食器洗い機本体１から引き出しレール等の手段（図示せず）を前後に引き出し可能に支持されると共に、上方に開口していて、上方から食器等の被洗浄物８の出し入れが可能となっている。
【００１９】
また、第一の上部洗浄槽１３ａと、第二の上部洗浄槽１３ｂと、下部洗浄槽１４のそれぞれの内部には、第一の食器かご１５ａ、１５ｂ、および第二の食器かご１６を上下２段に設置している。第一の食器かご１５ａと１５ｂは、下部洗浄槽１４の上方を略全面覆うように配置されている。
【００２０】
この第一の上部洗浄槽１３ａと第二の上部洗浄槽１３ｂの外側面には、それぞれ引出し方向部のドア１７と上下洗浄槽の間および押込む方向部の両側にそれぞれ２本の回転支持部１８で、下部洗浄槽１４の外側面に回転自在に取り付けられたリンク１９により回転支持部１８を中心に下部洗浄槽１４に対し回転自在としている。
【００２１】
また、リンク１９は、同じ長さのリンク同士を連結させたリンク構成、いわゆる平行リンクを第一の上部洗浄槽１３ａと第二の上部洗浄槽１３ｂのそれぞれ両側（ドア１７と上下洗浄槽の間および押し込む方向部）に設けることによって、第一の上部洗浄槽１３ａと第二の上部洗浄槽１３ｂが、水平状態を保ちつつ回転自在に構成されている。
【００２２】
なお、この平行リンクは、周知の構成が使用できるので、詳細構成は図示省略する。また、リンク１９の回転の最終地点で、下部洗浄槽１４の外側に設けられたリブ２０によってリンク１９を支え、第一の上部洗浄槽１３ａと第二の上部洗浄槽１３ｂの移動最終位置を規制し、移動し終わった第一の上部洗浄槽１３ａと第二の上部洗浄槽１３ｂの姿勢を保つように構成している。
【００２３】
２１は、第一の食器かご１５ａ、１５ｂや、その中に収納された被洗浄物８から落下する水を下部洗浄槽１４内に導く水受け部で、その一端は、上部洗浄槽１３ａ、１３ｂ内部の第一の食器かご１５ａ、１５ｂを保持している部分に固定され、上部洗浄槽１３ａ、１３ｂが移動していない初期状態では、図２に示すように、上部および下部洗浄槽１３、１
４の側壁内面に位置している。また、上部洗浄槽１３ａ、１３ｂがリンク構成により移動中および移動最終地点の状態においては、図５に示すように、水受け部２１の面積が上方から平面視して、第一の食器かご１５ａ、１５ｂより大きくなり第一の食器かご１５ａ、１５ｂ下方全面を覆うように構成している。
【００２４】
以上のように構成された本実施の形態における食器洗い機の動作、作用を説明する。食器洗い機の洗浄に関する動作は従来の食器洗い機と同様であるので説明は省略し、本発明の特徴である被洗浄物のセットに関する動作、作用のみ説明する。
【００２５】
まず、図１に示すように、第一の上部洗浄槽１３ａと第二の上部洗浄槽１３ｂと下部洗浄槽１４を、食器洗い機本体１から前方に引き出す。次に図２に示すように、第一の上部洗浄槽１３ａと第二の上部洗浄槽１３ｂの凸部２２を手で持って上方に引き上げようとすると、リンク１９が回転支持部１８を中心に回動し、リンク１９が構成する平行リンクの作用により、第一の上部洗浄槽１３ａと第二の上部洗浄槽１３ｂは、水平位置を保ったまま、図４に示すように、上方側面側に移動し、下部洗浄槽１４の上面開口１４ａより上方外側へ移動し、ついには、リンク１９が下部洗浄槽１４の外側に設けられたリブ２０に当たる位置まで回動移動する。
【００２６】
その結果、第一の上部洗浄槽１３ａと第二の上部洗浄槽１３ｂのそれぞれは、洗浄時に下部洗浄槽１４内に位置する位置より外側かつ上方に移動するとともに、第二の食器かご１６の上方を覆わなくなるので、第一の食器かご１５ａ、１５ｂと第二の食器かご１６の両方のセットする場所が上方より確認することができるようになり、第一、第二の食器かご１５ａ、１５ｂ、１６に食器等の被洗浄物８を自由にセットすることが可能となる。
【００２７】
また、第一の上部洗浄槽１３ａと、第二の上部洗浄槽１３ｂの凸部２２を手で持って上方に引き上げようとすると、初期状態では、第一、二の上部洗浄槽１３ａ、１３ｂおよび下部洗浄槽１４の側壁内面に配置している水受け部２１が、第一、第二の上部洗浄槽１３ａ、１３ｂ内部の第一の食器かご１５ａ、１５ｂを保持している部分に固定されているので、第一、第二の上部洗浄槽１３ａ、１３ｂの移動に連動して、第一の食器かご１５ａ、１５ｂ下方全面を覆うように配置を連動移動させ、移動最終地点の状態において、水受け部２１の面が上方から平面視して、第一の食器かご１５ａ、１５ｂより大きくなる。
【００２８】
その結果、水受け部２１は、上部洗浄槽１３ａ、１３ｂが移動していない初期状態では、第一、第二の上部洗浄槽１３ａ、１３ｂおよび下部洗浄槽１４の側壁内面に配置することより、洗浄時の洗浄ノズル７の動作および被洗浄物８への洗浄水の軌道の邪魔になることが無い。
【００２９】
さらに、第一、第二の上部洗浄槽１３ａ、１３ｂが移動中および移動後の状態において、水受け部２１の面積が上方から平面視して、第一の食器かご１５ａ、１５ｂより大きくしているので、第一の食器かご１５ａ、１５ｂ上の食器からの水滴および汁だれをすべて受け取ることが可能となる。
【００３０】
なお、本実施の形態において、移動手段としてリンク機構を設けたが、スライド方式としても良い。
【００３１】
また、水受け部２１をシート状としたが、蛇腹や板状やロールカーテン方式としても良い。
【００３２】
以上のように、本実施の形態においては、第一の上部洗浄槽１３ａと第二の上部洗浄槽１３ｂ内部の第一の食器かご１５ａ、１５ｂに被洗浄物８をセットした姿勢を保ったまま
で移動可能としたので、第一の上部洗浄槽１３ａと第二の上部洗浄槽１３ｂ内部の第一の食器かご１５ａ、１５ｂに被洗浄物８をセットしたまま、その下の下部洗浄槽１４内部の第二の食器かご１６に被洗浄物８をセットすることが容易になり、第二の食器かご１６をセットし終わるまで、第一の食器かご１５ａ、１５ｂに被洗浄物８が置けないといった不便さがなくなる。
【００３３】
また、水受け部２１が第一、第二の上部洗浄槽１３ａ、１３ｂの移動に連動して、第一の食器かご１５ａ、１５ｂから落ちる水および汁だれを受け、それを下部洗浄槽１４内に導くので、床が汚れることが無く、余分な掃除も不要となる。
【００３４】
（実施の形態２）
図６は、本発明の実施の形態２における食器洗い機の洗浄槽の側面図（上部洗浄槽の移動初期の状態）、図７は、同洗浄槽の側面図（上部洗浄槽の移動終了時の状態）である。なお、上記第１の実施の形態における食器洗い機と同じ部品については、同一符号を付して、その説明を省略する。
【００３５】
上記第１の実施の形態では、下部洗浄槽１４の上に、それぞれ斜め外方に移動する第一、第二の上部洗浄槽１３ａ、１３ｂの２つを設けたが、本実施の形態は、図６、７に示すように、下部洗浄槽１４の上に、下部洗浄槽１４の上面開口１４ａ全部を覆うように、１個の上部洗浄槽２５を配し、その下部洗浄槽１４と、上部洗浄槽２５とを、リンク１９で連結し、上部洗浄槽２５を、下部洗浄槽１４に載置された状態（図６）から、下部洗浄槽１４の上面開口１４ａを完全に開放する位置（図７）まで自由に移動させることができるようにしたものである。
【００３６】
１５ｃは、上部洗浄槽２５内に配され、被洗浄物８を収納する第一の食器かごで、２１は、上記第１の実施の形態で述べた水受け部と同じもので、その上端は、上部洗浄槽２５内部の第一の食器かご１５ｃを保持している部分に固定され、上部洗浄槽２５が移動していない初期状態では、図６に示すように、上部洗浄槽２５および下部洗浄槽１４の側壁内面に位置している。
【００３７】
また、上部洗浄槽２５がリンク１９により移動中および移動最終地点の状態においては、特に図示しないが、水受け部２１の面積が上方から平面視して、第一の食器かご１５ｃより大きくなり、第一の食器かご１５ｃの下方全面を覆うように構成されている。２２は、上部洗浄槽２５を持ち上げる際に握る凸部である。
【００３８】
以上のように構成された本実施の形態における食器洗い機の動作、作用を説明する。
【００３９】
まず、図６に示すような状態で、上部洗浄槽２５と下部洗浄槽１４を食器洗い機本体１から前方に引き出す。次に、上部洗浄槽２５に設けた凸部２２を持って、上方に引き上げると、リンク１９が回転支持部１８を中心に回動し、リンク１９が構成する平行リンクの作用により、上部洗浄槽２５が、水平位置を保ったまま、図７に示すように、斜め上方に移動しながら、最終的に、下部洗浄槽１４の上面開口１４ａを完全に開放する位置まで移動し、ついには、リンク１９が下部洗浄槽１４の外側に設けられたリブ２０に当たる位置で停止する。
【００４０】
その結果、上部洗浄槽２５の上面開口２５ａは勿論、下部洗浄槽１４の上面開口１４ａの両方が同時に開放され、それぞれに配された第一の食器かご１５ｃ及び第二の食器かご１６に被洗浄物８を自由にセットすることが可能となる。
【００４１】
また、この状態では、被洗浄物８を、第一の食器かご１５ｃにセットする際に、汁など
が洩れても、水受け部２１で、それが受けられ、下部洗浄槽１４内に導かれるので、床を汚すことは無い。
【００４２】
又、本実施の形態では、下部洗浄槽１４の上に配される上部洗浄槽２５は、１個だけなので、構成が簡略化される。
【産業上の利用可能性】
【００４３】
以上のように、本発明にかかる食器洗い機は、上部洗浄槽は上方から見て、そのほぼ全面を前記下部洗浄槽の外側に移動することによって、上部洗浄槽で塞がれた第二の食器かごのスペースを空ける事ができ、上方から第二の食器かごに被洗浄物を容易にセットしたり、取り出したりすることができ、食器洗い機の使い勝手を大幅に向上することができる。
【００４４】
また、水受け部が上部洗浄槽の移動に連動することにより、第一の食器かご内の被洗浄物からの水滴および汁だれを受けることができ、食器等の被洗浄物に洗浄水を噴射して洗浄する食器洗い機として有用である。
【図面の簡単な説明】
【００４５】
【図１】本発明の実施の形態１における食器洗い機の洗浄槽を食器洗い機本体から引き出した状態を示す縦断面図
【図２】同食器洗い機の洗浄槽の側面図（上部洗浄槽の移動初期の状態）
【図３】同洗浄槽の平面図（上部洗浄槽の移動初期の状態）
【図４】同洗浄槽の側面図（上部洗浄槽の移動終了時の状態）
【図５】同洗浄槽の平面図（上部洗浄槽の移動終了時の状態）
【図６】本発明の実施の形態２における食器洗い機の洗浄槽の側面図（上部洗浄槽の移動初期の状態）
【図７】同洗浄槽の側面図（上部洗浄槽の移動終了時の状態）
【図８】従来の食器洗い機の縦断面図
【符号の説明】
【００４６】
１  食器洗い機本体
８  被洗浄物
１３  上部洗浄槽
１３ａ  第一の上部洗浄槽
１３ｂ  第二の上部洗浄槽
１４  下部洗浄槽
１５ａ、１５ｂ、１５ｃ  第一の食器かご
１６  第二の食器かご
２４  洗浄槽
【図１】
2009261447.tif 000003
【図２】
2009261447.tif 000004
【図３】
2009261447.tif 000005
【図４】
2009261447.tif 000006
【図５】
2009261447.tif 000007
【図６】
2009261447.tif 000008
【図７】
2009261447.tif 000009
【図８】
2009261447.tif 000010